(57)【要約】【課題】施工性、保水性が優れた建築物の屋上、ベランダ、屋根等の屋上緑化資材の施工方法【解決手段】細粒状鉱物繊維に水を混合し、水分含有率５０〜９０重量％の混合物を吹付けガンから緑化する屋上へ噴出させ、細粒状鉱物繊維からなる植栽層を屋上に形成する。細粒状鉱物繊維は空気輸送で屋上へ搬送され、粒径１〜８ｍｍのロックウール粒を３０重量％以上含有する細粒状ロックウールがよく、細粒状ロックウールはロックウール粒状綿を向上又は施工現場で所定粒径に解繊したものがよく、植栽層はセメントを含有せず、吹付けガンはロックウール流れに逆方向又はこれを遮るように水を噴射する逆噴射ノズルを備えたものがよい。【選択図】　　　　なし【特許請求の範囲】
【請求項１】
細粒状鉱物繊維に水を混合し、混合物中の水分含有率を５０〜９０重量％とし、吹付けガンから緑化する屋上へ噴出させ、細粒状鉱物繊維からなる植栽層を形成することを特徴とする屋上緑化資材の施工方法。
【請求項２】
細粒状鉱物繊維を空気輸送によって屋上へ搬送する請求項１記載の屋上緑化資材の施工方法。
【請求項３】
細粒状鉱物繊維が、粒径１〜８ｍｍのロックウール粒を３０重量％以上含有する細粒状ロックウールである請求項１又は２記載の屋上緑化資材の施工方法。
【請求項４】
細粒状ロックウールが、予め所定粒径に解繊したものであるか、又はロックウール粒状綿を施工現場に搬入し、解繊機で所定粒径に解繊したものである請求項３記載の屋上緑化資材の施工方法。
【請求項５】
植栽層が、水硬性結合材を含有しないものである請求項１〜４のいずれかに記載の屋上緑化資材の施工方法。
【請求項６】
移動可能な車両に搭載した解繊機、圧送ブロワー、ポンプ、制御機器等の吹付け施工装置と、ロックウール用フレキシブルホースと、水ホースと、吹付けガンとを備えてなることを特徴とする屋上緑化装置。
【請求項７】
吹付けガンが、ロックウール流れに逆方向又はこれを遮るように水を噴射する逆噴射ノズルを備えてなる請求項６記載の屋上緑化装置。
【発明の詳細な説明】
【０００１】
【発明の属する技術分野】
本発明は、建築物の屋上、ベランダ、屋根などの緑化に関するものである。
【０００２】
【従来の技術】
【特許文献１】特開平５−２０７８２１号公報
【特許文献２】特開平５−２４７９４３号公報
【０００３】
建築物の屋上に培土を搬入し、これに芝生や樹木などを植栽して屋上庭園とすることは、都市景観面のみならず、ヒートアイランド対策や二酸化炭素削減にも有効な方策として注目されている。特許文献１には、屋上にポリエチレンシートを敷き詰め、その上に土壌層を形成し、これに芝生を植えた陸屋根や屋上庭園の施工方法が開示されている。このように培土として天然土壌を用いると、重量があるため建物に負担がかかり、既設の建築物であれば建物自体を予め補強する必要があった。そのため、屋上庭園用の培土として、バーミキュライト等の軽量で取り扱い容易な人工培土が用いられるようになった。それでも、嵩張る人工培土を屋上へ搬入し、所定厚さに敷き均す必要がある。また、屋上やベランダなどに一度施工すると、半年から１年はノーメンテナンスであり、植栽物の生育管理上問題がある。
【０００４】
一方、道路や堤防の法面などの緑化工法として、特許文献２には、ロックウールや天然繊維を主材とした吹付け材を圧縮空気により吹きつける工法が知られている。しかしながら、吹付け工法は施工時に多量に発塵するので、道路法面など近くに民家が無い場所ならよいが、都市で行われる屋上緑化の場合は、民家やビルが隣接し、大幅に発塵を減らさない限り施工できないという問題があった。また、従来の吹付け工法はもともと大面積施工に適した工法であるため、既設建築物の屋上に持ち込むことは困難であり、吹き付け厚さを均一に施工することも困難であった。
【０００５】
【発明が解決しようとする課題】
したがって、本発明の目的は、建築物の屋上、ベランダ、屋根などを効率的に緑化する屋上緑化資材の施工方法を提供することにある。
【０００６】
すなわち、本発明は、細粒状鉱物繊維に水を混合し、混合物中の水分含有率を５０〜９０重量％とし、吹付けガンから緑化する屋上へ噴出させ、細粒状鉱物繊維からなる植栽層を形成することを特徴とする屋上緑化資材の施工方法である。本発明において、細粒状鉱物繊維は、空気輸送によって屋上へ搬送されることがよく、粒径１〜８ｍｍのロックウール粒を３０重量％以上含有する細粒状ロックウールが好ましい。そして、細粒状ロックウールは、予め所定粒径に解繊したものか、又はロックウール粒状綿を施工現場に搬入し、解繊機で所定粒径に解繊したものがよい。
【０００７】
また、本発明は、移動可能な車両に搭載した解繊機、圧送ブロワー、ポンプ、制御機器等の吹付け施工装置と、ロックウール用フレキシブルホースと、水ホースと、吹付けガンとを備えてなることを特徴とする屋上緑化装置である。
吹付けガンは、ロックウール流れに逆方向又はこれを遮るように水を噴射する逆噴射ノズルを備えたものがよい。
【０００８】
【発明の実施の形態】
本発明の屋上緑化資材の施工方法は、細粒状ロックウールを吹付け施工し、屋上の任意の箇所に任意の厚さで細粒状ロックウールよりなる植栽層を形成するものである。この植栽層は、細粒状ロックウールが吹付け集積されたものであり、セメント等の水硬性結合材を含有しないものであることが好ましい。
【０００９】
本発明で用いる細粒状ロックウールは、市販のロックウール粒状綿（粒径５〜４０ｍｍ程度）より小さい粒状ロックウールであり、好ましくは粒径１〜８ｍｍ、より好ましくは２〜５ｍｍのロックウールを３０重量％以上含有するものであり、嵩密度２００〜２５０ｋｇ／ｍ３程度のものが好ましい。粒径が１ｍｍより小さいものは空気含有量が少なく、また保水量が少ないため植物の生育がよくなく、８ｍｍを超えるものが多いと嵩張りすぎて、足で踏むと沈んで復元しないため外観が悪くなる。含有量が３０重量％に満たないものは、発塵しやすくなったり、保水性が悪くなったりする。なお、細粒状ロックウールの一部又は全部を、ガラス繊維やセラミックファイバー等の鉱物繊維の細粒状物に置換することもでき、本発明に含まれる。
【００１０】
細粒状ロックウールは、予め工場で所定粒径に解繊したものでもよいし、ロックウール粒状綿を施工現場に搬入し、ピッカー等の解繊機で所定粒径に解繊したものでもよい。前者の工場解繊品は、解繊する必要がなく、解梱して直ちに使用できる。後者の現場解繊品は、建築物の耐火被覆工事用に市販され、入手が容易なロックウール粒状綿を用いることができる。
【００１１】
次に、細粒状ロックウールを緑化する屋上に空気輸送によって搬送する。空気輸送は、例えば、材料投入ホッパーと、ロータリーフィダー等の定量供給機と、圧送ブロワーを備えた空気輸送装置を準備し、これにロックウール粒状綿を供給し、フレキシブルホースを通して屋上の吹付けガンに圧送することが好ましい。なお、空気輸送に代えてスクリューコンベア等による機械搬送も可能であるが、屋上にロックウール貯槽と吹付け用の圧送ブローワーを設置するため、重量物のリフトアップが必要となる。
【００１２】
本発明の好ましい実施形態としては、解繊機、圧送ブロワー、水ポンプ、制御装置等の吹付け施工装置一式を、トラック等の移動可能な車両に搭載しておき、当該車両を屋上緑化する建築物の近傍へ駐車し、圧送ホース（ロックウール輸送用フレキシブルホース）と水ホースを屋上まで引き上げ、屋上の吹付けガンから吹付け施工することがよい。この実施形態によれば、重量のある機械装置を屋上に持ち上げる必要がなく、ホースをつなぐだけで簡単に施工できる利点がある。なお、施工装置一式ではなく、各装置を単品毎に搬入、設置することもでき、工場解繊品の細粒状ロックウールを用いる場合は解繊機は不要であり、また、水槽を搭載しておくと、水の不便な箇所でも施工ができ、いずれも本発明の実施形態に含まれる。
【００１３】
次いで、細粒状ロックウールと水の混合物を吹付けガンから噴射し、緑化する屋上に植栽層を形成する。この混合物は、細粒状ロックウールと水を必須成分とし、混合物中の水分含有率が５０〜９０重量％であることが必要である。水分含有率が５０重量％より少ないと吹付け施工時に発塵しやすくなり、９０重量％を超えると施工した混合物が流出するおそれがある。この混合物は、吹付けガン内で、細粒状ロックウールに水を噴出するなどの手段により調製することがよい。その他、吹付けガンの手前で、水の一部（又は全部）を細粒状ロックウールに混合したり、空気輸送する前の細粒状ロックウールに水の一部（又は全部）を混合することも、本発明の実施形態に含まれる。
【００１４】
本発明の屋上緑化施工は、耐火被覆用の吹付けロックウールとは異なり、セメント等の水硬性結合材を使用しないことが好ましい。耐火被覆は、建築物の柱、梁、壁、天井などに吹付けたロックウールが落下しないように接着強度が要求されるが、屋上緑化は、水平乃至は略水平部に施工するので、かかる強固な接着強度は必要ない。セメント等の水硬性結合材は、植栽層のｐＨを上げるため、発芽不良や生育障害を引き起こすからである。また、セメントの多量配合は、植栽層の重量増加を招く。しかし、セメントを使用しなくても、細粒状ロックウールを多量の水とよく混合して吹付ければ、屋上などフラットな面に植栽層を形成するには十分な強度を発現する。必要に応じて、細粒状ロックウールに、肥料、界面活性剤、酸性化剤、粘度調整剤や播種用種子などを混入してもよい。吹付け用の水に、アクリル樹脂エマルジョン等の水性樹脂結合剤を混入すると、植栽層の強度を更に上げることができる。
【００１５】
本発明で用いる吹付けガンは、ロックウール耐火被覆施工に用いられる乾式工法や半乾式工法用の吹付けガンであれば使用できる。いずれも内側の管（内筒）からロックウール材料を噴出させ、その外側（外筒）に配置された複数の噴出口から水又はセメントスラリーを噴出させるタイプである。
【００１６】
本発明の屋上緑化施工に適した吹付けガンとして、ロックウール流れに逆方向又はこれを遮るように水を噴射する逆噴射ノズルを備えた吹付けガンが挙げられる。更に、この逆噴射ノズルの前方に、ロックウール流と平行に水を噴射するノズルを備えたものでもよい（特開平９−１５５２５１号公報）。このような吹付けガンは、ロックウールに多量の水をよく混合できるので、施工時の粉塵を抑制できる。また、セメント等の水硬性結合材を使用しない場合でも、細粒状ロックウール同士が塊状になって強固な植栽層を形成できる。
【００１７】
前記のようにして、建築物の屋上の緑化しようとする任意箇所に、任意の厚さに細粒状ロックウールを吹付け施工することにより、植物の生育に好適な植栽層を形成することができる。吹付け施工は、屋上に換気ダクト、煙突、アンテナ等の障害物があってもそれを避けて施工できる。植栽層の厚さは、植栽する植物の種類によって、数センチから数十センチなど任意にでき、ある場所は厚く、別の場所は薄くするなども可能である。厚くしてもロックウールが軽量なので、建築物に大きな重量負荷をかける心配はない。
【００１８】
通常の吹付けロックウールに比べて、細かい粒径を有する細粒状ロックウールを用い、これに多量の水を混合して吹付けると、ペースト状となり、細粒状ロックウールの表面繊維同士が絡み合って、セメントを使用しなくても、風に飛ばされない強固に一体化した植栽層ができるものと考えられる。また、粒径が小さい細粒状ロックウールは、保水力が高いので乾燥しにくく、長期間湿潤状態が保たれるものと考えられる。
【００１９】
本発明の屋上緑化施工は、戸建住宅、マンション、オフィスビル、公共建築物、商業建築物、工場等の建築物の屋上のみならず、ベランダ、バルコニー、フラット屋根の緑化にも好適である。また、場合によっては、屋根用金属折板の表面に、予め工場で本発明の屋上緑化資材を吹付け、乾燥しておき、これを建築物の屋根として施工することも可能である。
【００２０】
【実施例】
実施例１
コンクリート建築物の屋上に屋根シートを敷き、その上に新日化ロックウール株式会社製のロックウール細粒綿（ロックウール粒状綿をピッカーで解繊し、粒径２〜５ｍｍが９２重量％）を水だけで吹付け施工し、厚さ５０ｍｍの植栽層を形成した。使用した吹付けガンは、内筒からロックウールを吐出し、外筒の内側に多数配置されたノズルから水を噴射するタイプで、ロックウール流れと逆方向に水を噴射する逆噴射ノズルと、逆噴射ノズルより先端に位置し、ロックウール流れと同じ方向に水を噴射する順噴射ノズルをそれぞれ備えたものである。吹付けられた混合物の含水率は７０重量％であり、吹付け施工時に発塵はなく、施工面はムラなく仕上がった。
この植栽層にセダムマットを貼って約２カ月半経過したが元気に生育していることが確認できた。
【００２１】
【発明の効果】
本発明の屋上緑化方法によれば、施工時に発塵がなく、軽量で植物の生育に適した植栽層を効率的に形成できる。また、屋上に重量のある吹付け装置や材料ロックウールを持ち上げる必要もなく、比較的小面積から大面積の緑化にも対応できる。建築物の屋上のみならず、ベランダ、バルコニー、フラット屋根、傾斜屋根などの緑化を低コストで施工できる。